Podtech/llm-jp-corpus-v4-ja_patent huggingface dataset:
(57)【要約】【課題】従来のネットワークの管理などに用いるルータ装置は、常時起動というルータ装置の特性を十分に発揮しているとはいえない。また、ネットワーク内の他の装置を制御するのにパソコン本体の起動を必要としていた。【解決手段】既存のルータ機能に、多目的な記憶領域を付加する。【選択図】図１
2006033468.tif 000002
【特許請求の範囲】
【請求項１】
既存のルータ機能に、多目的な記憶領域を付加したことを特徴とするネットワークを管理および制御するルータ装置。
【発明の詳細な説明】
【技術分野】
【０００１】
この発明は、ネットワークの管理などに用いるルータ装置の機能に関する。
【背景技術】
【０００２】
従来のネットワークの管理などに用いるルータ装置の機能は、そのルータ装置自体が他の装置を制御するというようなものではなかった。
【発明の開示】
【発明が解決しようとする課題】
【０００３】
しかしながら、以上の技術によれば、ネットワーク内の他の装置を制御するのにパソコン本体の起動を必要としていた。また、常時起動というルータ装置の特性を十分に発揮しているとはいえない。
そこで、この発明は、常時起動という特性を利用しパソコン本体の起動を要せずネットワーク内の様々な装置を常時制御できる機能を有するルータ装置を提供することを課題とする。
【課題を解決するための手段】
【０００４】
以上の課題を解決するために、第一発明は、既存のルータ機能に、多目的な記憶領域を付加したことを特徴とするルータ装置である。
また、第二発明は、既存のルータ機能に多目的な記憶領域を付加し、この記憶領域にアプリケーションなどのプログラムを入れ、それによって様々な装置をパソコン本体の起動を要せず常時制御できることを特徴とするルータ装置である。
【発明の効果】
【０００５】
第一発明、または第二発明によれば、既存のルータ機能に、多目的な記憶領域を付加したので、その記憶領域に入れたプログラムにより様々な装置がパソコン本体の起動を要せず常時制御可能になる。
【発明を実施するための最良の形態】
【０００６】
この発明の一実施形態を、図１に示す。
ここでは既存のルータ機能にハードディスクが一体的に取り付けられている。
【０００７】
「実施形態の効果」
この実施形態によれば、既存のルータ機能とハードディスクが一体になっていることによって、図２のようにネットワークハードディスクを別付けする場合と違い設定などしなくてよいので一般ユーザには使いやすい。また、図１のように様々な電化製品を携帯電話などを使っても、または、ルータ装置単独でもパソコン本体の起動を要せず常時制御できるようになる。
【０００８】
「他の実施形態」
図１の実施形態では、記憶装置はハードディスクとしたが、他の実施形態では、ハードディスク以外の記憶装置を付加したものでも良い。
【図面の簡単な説明】
【０００９】
【図１】この発明の一実施形態を示す概念図である。
【図２】従来技術を示す概念図である。
【図１】
2006033468.tif 000003
【図２】
2006033468.tif 000004
(57)【要約】【課題】  構造が簡単で、組立てが容易な配電盤を提供する。  【解決手段】  筐体の中に配置される少なくとも開閉器ユニットとインバータと電源引込ユニットなどの部品と、負荷全体に電源供給する水平母線と、各ユニットに個別に電源供給する垂直母線とが収納された配電盤において、筐体を前部、中部、後部に分割し、分割した筐体の前部および後部に開閉器ユニットと、インバータと、電源引込ユニットなどの部品と、水平母線の少なくとも一つを収納し、中部の筐体に垂直母線を収納して各筐体間を締結するものである。【選択図】    図１
2006033901.tif 000002
【特許請求の範囲】
【請求項１】
筐体の中に配置される少なくとも開閉器ユニットとインバータと電源引込ユニットなどの部品と、負荷全体に電源供給する水平母線と、各ユニットに個別に電源供給する垂直母線とが収納された配電盤において、
前記筐体を前部、中部、後部に分割し、前記分割した筐体の前部および後部に開閉器ユニットと、インバータと、電源引込ユニットなどの部品と、水平母線の少なくとも一つを収納し、前記中部の筐体に前記垂直母線を収納して前記各筐体間を締結してなることを特徴とする配電盤。
【発明の詳細な説明】
【技術分野】
【０００１】
本発明は、低圧モータを総合的に管理する開閉ユニット等を収納する配電盤に関する。
【背景技術】
【０００２】
従来、低圧モータの開閉ユニットやインバータを収納する配電盤の構造は図３のようになっている。図において、１は筐体、２はチャンネルベース、３は天井板、４は吊金具、６は母線仕切り板，７はユニット仕切り板、８は端子室仕切り板、９は底板、１０は水平母線、１１は垂直母線、１２は側板である。筐体１は、開閉器ユニットやインバータや制御器などを組付けし、その外側に側板１２と図示しない扉、化粧板などを取付けたものからなる。水平母線１０は負荷全体に電源供給する。垂直母線１１は各ユニットに個別に電源供給する。
このように、筐体１は、チャンネルベース２、母線室仕切り板６、ユニット仕切り板７、端子室仕切り板８や構成部品を組付け締結固定し、その後に扉、側板１２、底板９、天井板３などを付設して配電盤の組立・配線が行われている（例えば、特許文献１参照）。
【特許文献１】特開平７−２７４３１６号公報
【発明の開示】
【発明が解決しようとする課題】
【０００３】
しかしながら、従来の配電盤では開閉ユニットやインバータを収納し、ボックス組立を完了するには各種部品の組付けが終わらないと配線作業に着手出来ず段取りや作業に時間がかかるという問題があった。
また、製作時間を短縮するために、共通部分を先組みして準備しておき、変更部分のみ製作し組付けることにより作業性の向上を図る。
本発明はこのような問題点に鑑みてなされたものであり、構造が簡単で、組立てが容易な配電盤を提供することを目的とする。
【課題を解決するための手段】
【０００４】
上記問題を解決するため、本発明は、次のように構成したものである。
請求項１に記載の発明は、筐体の中に配置される少なくとも開閉器ユニットとインバータと電源引込ユニットなどの部品と、負荷全体に電源供給する水平母線と、各ユニットに個別に電源供給する垂直母線とが収納された配電盤において、前記筐体を前部、中部、後部に分割し、前記分割した筐体の前部および後部に開閉器ユニットと、インバータと、電源引込ユニットなどの部品と、水平母線の少なくとも一つを収納し、前記中部の筐体に前記垂直母線を収納して前記各筐体間を締結するものである。
【発明の効果】
【０００５】
請求項１に記載の発明によれば、筐体を前、中、後に分割したので、構造が簡単でしかも組立作業を容易に短時間で行うことができる。
また、筐体を部分組み付けの出来る構造としたので、事前に各種内装部品の組付けができるので、配線の作業時間を短縮することができる。
【発明を実施するための最良の形態】
【０００６】
以下、本発明の実施の形態について図に基づいて説明する。
図１は、本発明の配電盤の外観斜視図、図２はその分解斜視図を示すもので、筐体を前部、中部、後部に分割したものである。図において、１aは前部筐体、１bは中部筐体、１cは後部筐体、５は上枠である。
つぎに配電盤の製造方法について図２を参照しながら説明する。
まず、前部筐体１a、中部筐体１b、後部筐体１cの枠体をそれぞれ別々に、製作する。つぎに、前部筐体１aと後部筐体１cに開閉器ユニット、制御器、インバータ、トランス、電源引込ユニット、水平母線の少なくとも一つを組付けする。そして、これらの前部筐体１aと後部筐体１cに母線室仕切り板６、ユニット仕切り板７、端子室仕切り板８を組付けし締結固定する。さらに中部筐体１bに垂直母線１１を組付ける。垂直母線は各ユニットの電源用プラグを挿入できるようプラグソケットが装備されている。最後に、前部筐体１aと後部筐体１cとを中部筐体１bの接合面に突き合せ、ボルト締結を行い底板９、チャンネルベース２、天井板３、吊金具４、上枠５を筐体に付設して配電盤の組立作業を完了する。
開閉ユニット等を収納した配電盤の構造が簡単なので組立作業を容易に短時間で行うことができる。
筐体を３分割し部分組付けができる構造としたので、組立て配線を事前に行った筐体を組立てラインで、ボルト締結により組立てられ配電盤の組立時間を短縮することができる。
【図面の簡単な説明】
【０００７】
【図１】本発明の配電盤の外観を示す斜視図
【図２】本発明の配電盤の分解を示す詳細図
【図３】従来の配電盤の構造を示す分解図
【符号の説明】
【０００８】
１ 筐体
１ａ 前部筐体
１ｂ 中部筐体
１ｃ 後部筐体
２ チャンネルベース
３ 天井板
４ 吊金具
５ 上枠
６ 母線室仕切り板
７ ユニット仕切り板
８ 端子室仕切り板
９ 底板
１０ 水平母線
１１ 垂直母線
１２ 側板
【図１】
2006033901.tif 000003
【図２】
2006033901.tif 000004
【図３】
2006033901.tif 000005
(57)【要約】【課題】コネクタ部及びケーブル端子に分割したＧＮＤを短絡する機構構造が存在しない場合でも、受像機が外部入力機器の接続有無状態を認識することを可能とする。【解決手段】本発明の接続検出システムは、外部入力機器６を受像機１の接続端子につなげる場合、外部入力機器６のケーブル端子であるコネクタ７内の信号ＧＮＤラインが、受像機１の論理出力回路４に接続又は切断されることにより、論理出力回路４が論理出力をＬｏｗ／Ｈｉに切替えることで、受像機マイコン８が外部入力機器６の接続有無状態を認識することができる。【選択図】図１
2006033127.tif 000002
【特許請求の範囲】
【請求項１】
外部入力機器の接続が可能な受像機において、ケーブル端子内のＧＮＤピンを使用した論理出力回路を持つことで外部入力機器接続の有無状態の検出を可能とする接続検出システム。
【発明の詳細な説明】
【技術分野】
【０００１】
本発明は、受像機における外部入力機器の接続有無状態の検出システムに関するものである。
【背景技術】
【０００２】
従来の方法は、Ｓ映像入力端子のＧＮＤを２分割し、Ｓ映像入力端子のＧＮＤの片側１を接地し、もう一方の片側２をプルアップすることにより、挿入した端子機構によってこれらが短絡することにより外部入力機器の接続を認識可能としていた（特許文献１を参照）。
【特許文献１】特開平１０−３２２７０７号公報
【発明の開示】
【発明が解決しようとする課題】
【０００３】
従来の方法を受像機に適用しようとする場合、受像機の入力端子コネクタ部及びケーブル端子において、分割したＧＮＤを短絡する機構構造を必要とするが、上記のような機構構造が存在しない場合には外部入力機器の接続有無状態の検出が不可能であった。
【０００４】
本発明は、入力端子コネクタ部及びケーブル端子に分割したＧＮＤを短絡する機構構造が存在しない場合においても、外部入力機器ケーブル端子内の信号ＧＮＤラインを用いることにより外部入力機器の接続有無状態の検出を可能とする接続検出システムである。
【課題を解決するための手段】
【０００５】
前記課題を解決するために、本発明の接続検出システムは、外部入力機器ケーブル端子内の信号ＧＮＤラインが受像機の論理出力回路に接続又は切断されることにより、論理出力回路が出力をＬｏｗ／Ｈｉに切替えることで受像機マイコンが外部入力機器の接続有無状態を認識することを特徴としたものである。
【発明の効果】
【０００６】
本発明の接続検出システムによれば、コネクタ部及びケーブル端子に分割したＧＮＤを短絡する機構構造が存在しない場合でも、信号ＧＮＤラインの電位を用いて出力論理を可変する論理出力回路を持つことで受像機は外部入力機器が接続されている（又は接続されていない）ことを認識することができる。
【発明を実施するための最良の形態】
【０００７】
本発明の接続検出システムは、外部入力機器の接続が可能な受像機において、ケーブル端子内のＧＮＤピンを使用した論理出力回路を持つことで外部入力機器接続の有無状態の検出を可能にすることを特徴とした接続検出システムであり、外部入力機器ケーブル端子内の信号ＧＮＤラインが受像機の論理出力回路に接続又は切断されることにより、論理出力回路が出力をＬ／Ｈに切替えることで受像機マイコンが外部入力機器の接続有無状態を認識することを実現するものである。
【０００８】
以下、本発明の一実施の形態における接続検出システムについて、図１を用いて説明する。
【０００９】
（実施の形態１）
図１は、本発明の一実施の形態における接続検出システムを示し、受像機１の内部でコネクタ２の信号ＧＮＤ３ラインは分離されている。
【００１０】
外部入力機器６のコネクタ７と受像機１のコネクタ２が接続されていない場合、論理出力回路４で信号ＧＮＤ３ラインは電源（Ｖ）５でプルアップされているため、論理出力回路４の出力はＨｉとなりマイコン８の入力ポート９に入力される。
【００１１】
外部入力機器６のコネクタ７と受像機１のコネクタ２が接続された場合、外部入力機器６のフレームＧＮＤ１０と受像機１のフレームＧＮＤ１１が結合され同電位となり同時に信号ＧＮＤ３ラインも同電位となるため、論理出力回路４の出力はＬｏｗとなりマイコン８の入力ポート９に入力される。
【００１２】
従って受像機１のマイコン８は入力ポート９に入力される論理がＨｉであればコネクタ７とコネクタ２は接続されていないと認識し、論理がＬｏｗであればコネクタ７とコネクタ２が接続されていると認識することができる。
【産業上の利用可能性】
【００１３】
本発明の接続検出システムは、コネクタ部及びケーブル端子に分割したＧＮＤを短絡する機構構造が存在しない場合でも、信号ＧＮＤラインの電位を用いて出力論理を可変する論理出力回路を持つことで受像機は外部入力機器が接続されている（又は接続されていない）ことを認識することができ、受像機における外部入力機器の接続有無状態の検出システムとして有用である。
【図面の簡単な説明】
【００１４】
【図１】本発明の実施の形態１における接続検出システム回路を示す図
【符号の説明】
【００１５】
１    受像機
２    受像機側のコネクタ
３    コネクタ内の信号ＧＮＤ
４    論理出力回路
５    電源（Ｖ）
６    外部入力機器
７    外部入力機器側のコネクタ
８    受像機のマイコン
９    マイコンの入力ポート
１０    外部入力機器のフレームＧＮＤ
１１    受像機のフレームＧＮＤ
【図１】
2006033127.tif 000003
(57)【要約】【課題】  グミ科植物種子から、より有効な成分を抽出すること。【解決手段】  臨界温度６５０Ｋ、臨界圧力２２ＭＰａ以上の超臨界水をグミ科植物種子が湿潤する程度以上使用して、グミ科植物種子から有効成分を抽出すること。【選択図】  なし【特許請求の範囲】
【請求項１】
グミ科植物の種子を、臨界温度６５０Ｋ、臨界圧力２２ＭＰａ以上の超臨界水で処理、抽出するグミ科植物種子の処理方法。
【発明の詳細な説明】
【技術分野】
【０００１】    本発明は、グミ科に属する植物種子から有効成分を効果的に抽出する方法である。
【背景技術】
【０００２】  グミ科植物の種子からリノレン酸、オレイン酸、ビタミンなどを抽出する技術は、溶剤抽出や超臨界単産などが利用されているが、成分の抽出には不十分であった。
【発明の開示】
【発明が解決しようとする課題】
【０００３】  溶剤抽出による環境汚染、超臨界炭酸抽出によって抽出されない有効成分の効果的抽出方法を完成し、グミ科植物の有用性を向上させること。
【課題を解決するための手段】
【０００４】  本発明は、グミ科植物種子を超臨界水に浸し、その温度、圧力を利用して有効成分を抽出する。
【発明の効果】
【０００５】  本発明によれば、溶剤抽出にとる環境汚染、超臨界炭酸による有効成分の抽出不能区域なども解消され、工程上も簡素化が可能である。
【発明を実施化するための最良の形態】
【０００６】  グミ科植物の種子は、２ｍｍ×３ｍｍ．重量は０、２ｇ程度のものから、０、５ｇ以上の大型種子など形態の差異があり、前記の各抽出方法では十分な浸漬効果がえられなかった。本発明では超臨水の利用で解決した。
【実施例１】
【０００７】  超臨界水の製造方法については、工業的にいろいろな技術があるが、一例として産業技術総合研究所超臨界流体研究センター、生島  豊副センター長が開発した超臨界水システムを利用しても可能である。
方法としては、グミ科植物種子、たとえば、たわらぐみのサジー属の種子５０ｇを耐圧容器に入れ、超臨界水２００ｍｌを注入する。臨界温度は６５０Ｋ臨界圧力２２ＭＰａで浸漬時間は抽出成分により３０秒から６００秒程度迄の操作を選択する。
このサジー５０ｇからリノレン酸、オレイン酸などの脂肪酸、ビタミンＥなどのビタミン群、ミネラルなどが１００ｍｇから３０ｍｇ収穫出来る。この収量は種子の種類、アキグミ、マルバグミによりことなるのは当然である。
【産業上の利用可能性】
【０００８】  本発明は、従来のグミ種子エキス抽出方法より有効成分の抽出分布域が広く、操作も簡便で、産業上の利用価値が大きい。
(57)【要約】      （修正有）【課題】機械加工なしにカ−ボン素材、ガラス繊維系素材、不飽和樹脂と硬化剤等の組み合わせによる施工方法によって所定の機械的強度、美観及び作業性の向上が得られる接合方法を特徴とする。【解決手段】接合しようとする一方の金属を表面処理し、その表面にカーボン系素材を被覆させ、さらに不飽和樹脂と硬化剤を混ぜてその上に塗り、おたがいを張り合わせ乾燥させ、適宜仕上げ加工を施す一連の接合方法により樹脂系素材または異種金属と金属を接合する。【選択図】 なし【特許請求の範囲】
【請求項１】
表面処理の後、カ−ボン系素材を被覆した金属に、ガラス繊維系素材並びに不飽和樹脂と硬化剤を塗った樹脂系素材叉は異種金属との接合。
【発明の詳細な説明】
【発明の詳細な説明】
【発明の属する分野】
【０００１】本発明は、一定の手法で混ぜ合わせ接着効果向上を可能にする材料を介して、樹脂系素材叉は異種金属と金属を接合する方法に関する。
【背景技術】
【０００２】  従来の樹脂系素材叉は異種金属と金属の接合は、下記１）、２）の方法が主流である。
１）、異種金属と金属との結合の場合
▲１▼溶接し、その隙間にシ−ル材を充填する
▲２▼リベット止めし、その隙間にシ−ル材を充填する
▲３▼接着材による接合（但しこの方法は、接着強度が低い）
２）、樹脂系素材と金属との結合の場合
▲１▼リベット止めし、その隙間にシ−ル材を充填する
▲２▼接着材による接合（但しこの方法は、接着強度が低い）
【発明が解決しようとする課題】
【０００３】従来の接合方法は、作業技術が要求され、且つ作業性が悪い。叉接合後の接合部の仕上がりが悪く、継ぎ目も必ずヒビ割れを起こすという問題点があった。
【０００４】本発明は、機械的な加工や特殊な熟練技術無しで、異種金属と金属叉は樹脂系素材と金属の接合を簡略化し、且つその接合の機械的強度、美観およびその作業性の向上を目的とする。
【課題を解決する手段】
【０００５】接合しようとする一方の金属を表面処理し、その表面にカ−ボン系素材を被覆させる。さらに不飽和樹脂と硬化剤を混ぜてその上に塗り、お互いを張り合わせ乾燥させ、適宜仕上げ加工を施す一連の接合方法
【発明を実施するための最良の形態】
【０００６】図１は、金属薄板１の表面を紙やすり等で目荒らしし、その金属の表面に処理剤２（錆止め）をハケまたはスプレーガンで塗ったもの。図２は、その後ある一定時間強制乾燥させ、その金属表面にカーボン系素材のパテ３を一定の厚みで塗布し、再び強制乾燥したもの。【０００７】図３は、更にその表面に硬化剤と混ぜた不飽和樹脂４をハケまたはスプレーガンで塗布し、それにガラス繊維系のファイバーマット５またはアルミ板６を貼り付けたもの。
この工程を２〜３回繰り返し（ファイバーマットを２〜３層にする）完成品とする。
【発明の効果】
【０００８】この技術によって樹脂系素材叉は異種金属と金属の接合方法が確立でき、機械的強度と美観も向上し、自動車業界や建築業界での利用が大幅に向上することが想定できる。（特に軽量化、リサイクル化に効果大）。また他方面の分野に普及が想定できる。
【図面の簡単な説明】
【図１】金属薄板１の表面に処理剤２（錆止め）をハケまたはスプレーガンで塗った状態の側面図
【図２】図１の金属表面にカーボン系素材のパテ３を一定の厚みで塗布し、再び強制乾燥したときの側面図
【図３】図２の表面に、硬化剤と混ぜた不飽和樹脂４をハケまたはスプレーガンで塗布し、それにガラス繊維系のファイバーマット５またはアルミ板６を貼り付けた状態の側面図
【符号の説明】
１．  金属薄板
２．  表面処理剤
３．  カーボン系素材のパテ
４．  硬化剤と混ぜた不飽和樹脂
５．  ガラス繊維系のファイバーマット
６．  アルミ板
【図１】
2006008967.tif 000002
【図２】
2006008967.tif 000003
【図３】
2006008967.tif 000004
(57)【要約】【課題】  胴内排紙型の画像形成装置において、排紙部に排紙された用紙の取り出しを容易にし、排紙部に要するスペースを狭くする。【解決手段】  装置上部の画像読取部４とその下方の作像部３との間の装置筐体空間に排紙部１を設けた画像形成装置において、排紙部１に、排紙された用紙を装置前面方向に押し出す用紙押し出し機構(用紙押し出し部材５、ストッパー６)を有する。【選択図】  図２
2006008313.tif 000002
【特許請求の範囲】
【請求項１】
装置上部の画像読取部とその下方の作像部との間の装置筐体空間に排紙部を設けた画像形成装置において、排紙部に、排紙された用紙を装置前面方向に押し出す用紙押し出し機構を有することを特徴とする画像形成装置。
【請求項２】
請求項１記載の画像形成装置において、用紙押し出し機構は、用紙の一端に当接しながら装置筐体の前後方向に移動する用紙押し出し部材と、前方に押し出される用紙の他端を規制するストッパーとから構成されることを特徴とする画像形成装置。
【請求項３】
請求項２記載の画像形成装置において、ストッパーは、装置筐体に対して出没可能であることを特徴とする画像形成装置。
【発明の詳細な説明】
【技術分野】
【０００１】
本発明は、複写機、ファクシミリ等の画像形成装置に関し、さらに詳しく言えば、画像読取部と作像部との間の装置筐体内に排紙部空間を設けた胴内排紙型の画像形成装置に関するものである。
【背景技術】
【０００２】
画像読取部と作像部とを分離して配置し両者の間に排紙部空間を形成することにより、排紙トレイを装置側面に突出させないようにして占有面積を減少させた胴内排紙型の画像形成装置が提案されている。
【発明の開示】
【発明が解決しようとする課題】
【０００３】
しかしながら、上記胴内排紙型の画像形成装置においては、装置筐体内に用紙が排紙されるため、取り出しにくいという欠点があった。
本発明は、胴内排紙型の画像形成装置において、排紙部に排紙された用紙の取り出しを容易にし、排紙部に要するスペースを狭くすることを目的とする。
【課題を解決するための手段】
【０００４】
上記目的を達成するために、請求項１記載の発明は、装置上部の画像読取部とその下方の作像部との間の装置筐体空間に排紙部を設けた画像形成装置において、排紙部に、排紙された用紙を装置前面方向に押し出す用紙押し出し機構を有する画像形成装置を最も主要な特徴とする。
請求項２記載の発明は、請求項１記載の画像形成装置において、用紙押し出し機構は、用紙の一端に当接しながら装置筐体の前後方向に移動する用紙押し出し部材と、前方に押し出される用紙の他端を規制するストッパーとから構成される画像形成装置を主要な特徴とする。
請求項３記載の発明は、請求項２記載の画像形成装置において、ストッパーは、装置筐体に対して出没可能である画像形成装置を主要な特徴とする。
【発明の効果】
【０００５】
本発明の画像形成装置によれば、装置上部の画像読取部とその下方の作像部との間の装置筐体空間に排紙部を設けた画像形成装置において、排紙部に、排紙された用紙を装置前面方向に押し出す用紙押し出し機構を有することで、所期の目的を達成することができる。
【発明を実施するための最良の形態】
【０００６】
以下、本発明の実施の形態を図面に従って説明する。
図１は本発明の実施の形態に係る画像形成装置の正面図、図２は同じく要部側面図である。
内壁に排紙口２を有する空間としての排紙部１は、感光体などの電子写真式作像手段を備えた作像部３と、コンタクトガラス直下に配置されてコンタクトガラス上の原稿画像を読取る画像読取部４との間の装置筐体内空間に設けられている。図２に示すように、排紙部１には、モータ等の駆動源により前後(図２において左右)運動する、用紙７を押し出すのに必要な高さ、長さを持った用紙押し出し部材５が設けられている。
そして装置前面側には、用紙押し出し部材５によって前方へ押し出されてきた用紙の落下を防止するためのストッパー６が設けられている。このストッパー６は、画像形成装置の使用時には前面より外方に突出しているが、不使用時には排紙部１内に収納できるようになっている。
用紙押し出し部材５とストッパーとは、用紙押し出し機構を構成している。
画像形成済みの用紙が排紙口２から排紙部１に排紙されたとき、ストッパー６を前方に移動させることで、押し出し部材５によって押された用紙７を装置前面に押し出し、ストッパー６に突き当てる。その状態でユーザは容易に用紙７を取り出すことができる。また排紙部空間に、手を入れる必要がなくなるため、排紙部１に要するスペースを狭くすることができる。
ストッパー６は、押し出し部材５によって用紙束を押し出したときに前方へ押し出されるように構成しても良いし、事前に前方へ移動するように構成してもよい。
また、オペレータが操作部を操作することにより、ストッパー６の前方への移動、及び押し出し部材５の動作を禁止するように選択できるように構成してもよい。
【図面の簡単な説明】
【０００７】
【図１】本発明の実施の形態に係る画像形成装置の正面図である。
【図２】本発明の実施の形態に係る画像形成装置の要部側面図である。
【符号の説明】
【０００８】
１  排紙部
２  排紙口
３  作像部
４  画像読取部
５  用紙押し出し部材
６  ストッパー
７  用紙
【図１】
2006008313.tif 000003
【図２】
2006008313.tif 000004
(57)【要約】【課  題】  従来の開口部支持具は開口具が円形、スタンド具等で支持するものであり設置場所等が固定され、移動集塵等に問題があった。  本発明は、ゴミ袋の不安定な開口部を２本の支持棒と止め具を用い固定、安定させる支持具に係わり、特に移動集塵時等に安定した開口部の保持と持ち運びを可能とし、また不使用時にコンパトに収納、また継続使用が可能な、開口部支持具を提供することが目的である。【解決の手段】  本発明は、支持棒２本をゴミ袋の中央上部の左右に各１本を配置し、支持棒にゴミ袋の開口部を３０ｍｍ〜５０ｍｍ程度を巻き付け半円形の止め具を用いて、ゴミ袋を簡単に装着、脱着することで開口部を固定することにより、安定した開口部の維持が可能となる。また設置場所も特定の場所は不要であり、問題も解決する。２本の支持棒を合体することにより取手となり、移動時もスムーズとなる、また他のゴミ箱等と併用使用が可能である。【選択図】図３
2006008373.tif 000002
【特許請求の範囲】
【請求項１】
２本の支持棒と半円形で着脱自在の止め具を用いた、左右２本の支持棒と前後２ケ所のゴミ袋の辺で蝦蟇口形状に構成させる、ゴミ袋開口部支持具。
【請求項２】
ゴミ袋等の開口部の左右中央部を請求項１の２本の支持棒に３０ｍｍ〜５０ｍｍ程度巻き付け、止め具で固定、使用するゴミ袋等開口部支持具。
【発明の詳細な説明】
【技術分野】
【０００１】
本発明は、一般家庭のゴミ袋使用の容易化を図った、ゴミ袋開口部支持具に関する。
【背景技術】
【０００２】
従来のゴミ袋支持具には、支持具が円形、スタンド付等を施したものがあるが、設置場所が固定される等の課題があった。
（例えば、特許文献  特開２００１−１６３４０２）
【０００３】
ゴミ袋を用いた移動集塵時など、開口部の安定を図る簡易開口部支持具の出現が望まれていた。
【発明の開示】
【発明が解決しようとする課題】
【０００４】
本発明は、設置場所に関係なく、ゴミ袋を支持棒に止め具を用いて、セットすることにより開口部が固定され、安定した開口部保持を可能とるものである。
【０００５】
又、装着、脱着が簡単で継続使用が可能であり、不使用時のコンパクトな収納を図った。
【課題を解決するための手段】
【０００６】
図１−１の支持棒２本を用い、図４の形態でゴミ袋上部中央部の左右に各１本をセットすることにより、左右の支持棒、ゴミ袋前後の辺により蝦蟇口状の開口部を形成する。
【０００７】
ゴミ袋５の上部中央部を棒状の支持棒１に３０ｍｍ〜５０ｍｍ程度巻き付け、図３の形態で止め具３で固定（３ケ所）する。
【発明の効果】
【０００８】
開口部中央の左右２ケ所の装着、固定により、支持棒を左右に移動することにより、四角形状の安定した開口部が保持できる。
【０００９】
従って、装着後の左右２本の支持棒を合体すれば取っ手の役割を果たし、吊り下げての持ち運びが可能となる。
【００１０】
セット後の形態は蝦蟇口状となり、支持棒の左右への移動で開口部の開閉が可能となる。
【００１１】
支持棒を交差することにより蓋ができる。
【００１２】
室内等のゴミ箱等にセットで使用可能。
【発明を実施するための最良の形態】
【００１３】
以下、本発明の実施の形態を図１〜７に基づいて説明する。
【００１４】
図１においては、１は支持棒本体で、支持棒１、断面図２。
支持棒の形態（１）直径：１０ｍｍ〜２５ｍｍ（２）長さ：ゴミ袋の上部開口部の２分の１以下２００ｍｍ〜３５０ｍｍ（３）材質：プラスチック等（４）表面に滑り止め加工。
【００１５】
図２においては、止め具で、止め具本体３、断面図４。
止め具の形態（１）内径：１０ｍｍ〜２５ｍｍ支持棒の直径以下（２）長さ：２０ｍｍ〜６０ｍｍ（３）材質：プラスチック等で形状復帰性に富む材料（４）形状：半円形で下部に反りを施し、支持棒との合体を容易にする（５）内面に滑り止め加工（６）押圧はめ込み式。            
【００１６】
図３においては、支持棒に止め具をセットの状態（３ケ所）。
【００１７】
図４においては、ゴミ袋に支持棒２本セット時の形状。
【００１８】
図５においては、ゴミ袋と支持棒のセット箇所、支持棒１、止め具３、ゴミ袋５。
【００１９】
図６においては、セット時断面図。  
【００２０】
図７においては、セット後上部から見た支持棒、止め具、ゴミ袋の位置関係。
【図面の簡単な説明】
【００２１】
【図１】支持棒本体。
【図２】止め具。
【図３】支持棒と止め具体セット形状。
【図４】支持棒と止め具体、ゴミ袋セット形状（２ケ所）側面図。
【図５】支持棒とゴミ袋セット箇所。
【図６】支持棒と止め具体、ゴミ袋セット形状（２ケ所）断面図。
【図７】支持棒と止め具体、ゴミ袋セット形状（２ケ所）上部図。
【符号の説明】
【００２２】
１  支持棒本体。
２  支持棒断面図。
３  止め具。
４  止め具断面図。
５  ゴミ袋。
【図１】
2006008373.tif 000003
【図２】
2006008373.tif 000004
【図３】
2006008373.tif 000005
【図４】
2006008373.tif 000006
【図５】
2006008373.tif 000007
【図６】
2006008373.tif 000008
【図７】
2006008373.tif 000009
(57)【要約】【課題】  葡萄をより傷みにくくし、かつ、鮮度をより判別しやすくする葡萄の包装方法および葡萄包装品を得る。【解決手段】  葡萄の房2を袋状の包装体4に入れ、結束部材5を用いて包装体4の開口部を葡萄の軸3にまとめて固定する。このとき軸3を包装体4の外に露出させる。こうすれば、軸3を持って運ぶことができる分、果実6を傷めずに済む。また、軸3の色から、鮮度を判別することができるようになる。【選択図】  図1
2006008173.tif 000002
【特許請求の範囲】
【請求項１】
葡萄の軸を露出させた状態で包装体によって葡萄を包装することを特徴とする葡萄の包装方法。
【請求項２】
葡萄の房を袋状の包装体に入れ、結束部材を用いて包装体の開口部を葡萄の軸にまとめて固定し、当核軸を包装体外に露出させることを特徴とする請求項1に記載の葡萄の包装方法。
【請求項３】
葡萄の軸を露出させた状態で包装体によって葡萄を包装してなることを特徴とする葡萄包装品。
【請求項４】
葡萄の房が袋状の包装体に入れられ、結束部材により包装体の開口部が葡萄の軸にまとめて固定され、当核軸が包装体外に露出されてなることを特徴とする請求項3に記載の葡萄包装品。
【発明の詳細な説明】
【技術分野】
【０００１】
本発明は、葡萄の包装方法および葡萄包装品に関する.
【背景技術】
【０００２】
従来より、葡萄を房単位で流通したり販売したりするときに、果実の保護などを目的として、房を透明なフィルム等で包装する場合がある。その場合、葡萄の軸（茎）は、  並べたときや箱詰めするときに邪魔になる等の理由から、なるべく短く切り、軸を含む  房全体を包装するのが一般的である。（特許文献1参照）
【０００３】
【特許文献１】特開２００１―１９２０７９号公報
【特許文献２】特開２０００―３２６９６２号公報
【発明の開示】
【発明が解決しようとする課題】
【０００４】
しかしながら、軸を含む房全体を包装してしまうと、房を持ち運ぶときに果実に荷重がかかることになり、その分、傷みやすくなってしまうという問題がある。
【０００５】
一方、葡萄の鮮度は果実の外見からは判別しにくく、鮮度をよりわかりやすくすることが望まれている。
【０００６】
そこで、本発明は、葡萄をより傷みにくくし、かつ、鮮度をより判別しやすくする葡萄の包装方法および葡萄包装品を得ることを目的とする。
【課題を解決するための手段】
【０００７】
本発明にかかる葡萄の包装方法は、葡萄の軸を露出させた状態で包装体によって葡萄を包装することを特徴とする。
【０００８】
上記本発明にかかる葡萄の包装方法では、葡萄の房を袋状の包装体に入れ、結束部材を用いて包装体の開口部を葡萄の軸にまとめて固定し、当核軸を包装体外に露出させるのが好適である。
【０００９】
本発明にかかる葡萄包装品は、葡萄の軸を露出させた状態で包装体によって葡萄を包装してなることを特徴とする。
【００１０】
また、上記本発明にかかる葡萄包装品は、葡萄の房が袋状の包装体に入れられ、結束部材により包装体の開口部が葡萄の軸にまとめて固定され、当核軸が包装体外に露出されてなるのが好適である。
【発明の効果】
【００１１】
本発明によれば、葡萄の軸が包装体の外に露出しているので、その軸を持って運ぶ
ことができるようになり、その分、果実が傷みにくくなるという利点がある。
【００１２】
また、葡萄の軸の色は経時的に変化するので、軸を残し、しかもそれを露出させたことで、葡萄の鮮度が判別しやすくなるという利点がある。
【発明を実施するための最良の形態】
【００１３】
以下、図１を参照して本発明の好適な実施形態について説明する。図１は、本実施形態にかかる葡萄包装品の概略図である。
【００１４】
葡萄の房2は、軸3を例えば４〜５ｃｍ程度残した状態で摘み取る。そして、その
房2を、例えば透明のフィルム等からなる袋状の包装体4に、軸3の反対側（房2の先端側）から挿入する。そして、例えばワイヤ等の結束部材5を用いて、包装体4の開口部を束ねて軸3に結束する。このとき、軸３の一部が包装体4の外に露出するようにする。こうして葡萄包装品1が形成される。
【００１５】
本実施形態によれば、軸3を長めに残しておき、この軸3に包装体4の開口部を
結束することで、房2が包装体4によって包装された状態を極めて容易に構成することができる。また、軸3を持って運ぶことができるようになる分、果実6が傷まずに済むという利点がある。
【００１６】
さらに、軸3は、摘み取ってからの時間の経過とともに、緑色から茶色に徐々に
変化する。このため、軸3の色から、その房2の鮮度を知ることができるようになるという利点がある。しかも、軸3を露出させているため、消費者は軸3の色を、手にとって間近で確実に確認することができるという利点がある。
【００１７】
以上、本発明の好適な実施形態について説明したが、本発明は上記実施形態に限定されるものではなく、要旨を逸脱しない範囲で上記実施形態に種々の改変を施すことができる。
【００１８】
例えば、袋状の包装体に房を入れるのに替えて、二枚のフィルム状の包装体の間に房を配置した後、房の周囲を例えばヒートシール処理等で封止することによって包装してもよいし、筒状の包装体の中に房を挿入し、先端側と軸側とを封止することによって包装してもよい。また、包装体は、必ずしも無色透明のフィルムとする必要はなく、例えばフィルム以外の紙等の材質を用いてもよいし、また、袋状とせず、例えば箱として構成してもよい。ただし、いずれの場合も、軸の先端部は包装体の外に露出させておくのが好適である。
【００１９】
また、結束部材5としては、ワイヤ以外にも、輪ゴムや、結束バンド、紐、糸、テープ、タイラップ、クリップ等を用いることができる。
【図面の簡単な説明】
【００２０】
【図１】本発明の実施形態にかかる葡萄包装品の一例を示す図。
【符号の説明】
【００２１】
葡萄包装品
房
軸
包装体
結束部材
果実
【図１】
2006008173.tif 000003
(57)【要約】【課題】座屈変形の生ずる箇所を特定することが可能な球面構造体を提供する【解決手段】球殻構造を有する球面構造体１０であって、前記球殻構造の曲率よりも大きな曲率を有する少なくとも１つの凹部１２が表面に設けられる。【選択図】  図１
2006008166.tif 000002
【特許請求の範囲】
【請求項１】
球殻構造を有する球面構造体であって、前記球殻構造の曲率よりも大きな曲率を有する少なくとも１つの凹部が表面に設けられていることを特徴とする球面構造体。
【発明の詳細な説明】
【技術分野】
【０００１】
本発明は、球殻構造を有する球面構造体に関する。
【背景技術】
【０００２】
球殻構造を有する構造体（球面構造体）は、例えば、水中や地中、あるいは空中や宇宙空間に設置される容器等に用いられている。球面構造体は、内圧や外圧、あるいは内外温度差などによって変形し、この変形が元となって座屈現象が起きることがある。したがって、球面構造体を設計する際には、座屈が起こらないような構造設計を行なうことが必要である。そして、球殻構造における座屈現象については、従来より例えば非特許文献１に示されるように、理論的な解析が行なわれている。
【非特許文献１】林毅、「軽構造の理論とその応用（上）」、財団法人日本科学技術連盟、１９６６年９月１４日、ｐ．３１５−３４０
【発明の開示】
【発明が解決しようとする課題】
【０００３】
しかしながら、非特許文献１に開示されるような球殻座屈の理論解析をもってしても座屈機構の解明は難しく、球面構造体の座屈につながる変形挙動を予測することは困難である。したがって、球面構造体の強度設計にあたって、座屈に対する安全性評価を正確に行なうことができないため、構造体の全体について例えば部材厚さを大きくすることなどにより剛性を確保して座屈を防止せざるを得ず、不経済な設計となってしまう。このような問題を解消するため、球面構造体の座屈につながるような変形挙動を予測できるようにすることが望まれる。
【０００４】
本発明は上記の点に鑑みてなされたものであり、内圧・外圧や内外温度差等に起因する変形挙動を予測することが可能な球面構造体を提供することを目的とする。
【課題を解決するための手段】
【０００５】
上記の目的を達成するため、本発明は、球殻構造を有する球面構造体であって、前記球殻構造の曲率よりも大きな曲率を有する少なくとも１つの凹部が表面に設けられていることを特徴とする。
【０００６】
一般に、殻体構造に内圧や外圧等が作用したときの変形の起こり易さは、その曲率に依存し、曲率が大きいほど変形し易いという性質がある。したがって、本発明のように球殻構造の曲率よりも大きな曲率を有する凹部を表面に設けることで、この凹部において変形が起こり易くなり、球面構造体の変形挙動の予測が可能となる。
【発明の効果】
【０００７】
本発明によれば、内圧・外圧や内外温度差等に起因する球面構造体の変形挙動を予測することが可能となる。このため、球面構造体の強度設計にあたり、変形し易い凹部について解析を行うことにより、正確な安全性評価を行うことが可能になると共に、凹部以外の部分において過剰な強度設計を行うことがなくなり、経済的な強度設計を行うことができる。すなわち、本発明によれば、球面構造体を構成する構造体の剛性を過度に大きくすることなく、安全性の高い球面構造体を実現することができる。
【発明を実施するための最良の形態】
【０００８】
図１は、本発明の一実施形態である球面構造体１０の断面図である。球面構造体１０は、典型的には鋼材で構成されるが、これに限らず、ジュラルミン等の各種合金やＦＲＰといった鋼材以外の各種構造材料で構成されていてもよい。この球面構造体１０は、例えば、水中、地中、空中、あるいは宇宙空間等に設置されて、液体やガスを貯蔵する容器あるいは人が居住する空間として用いられる。ただし、本発明に係る球面構造体の用途はこれらに限定されない。
【０００９】
図１に示す如く、球面構造体１０は、半径Ｒ１の球殻構造の表面に、Ｒ１より小さな曲率半径Ｒ２を有する凹部１２が形成された構成を有している。凹部１２の周囲は曲率半径Ｒ３（＜Ｒ１）の曲面に形成されており、これにより、凹部１２は球殻構造の表面から滑らかに凹んでいる。
【００１０】
以上説明した球面構造体１０の構成によれば、球面構造体１０に大きな外圧や内圧が作用した場合、曲率の大きい凹部１２に変形が集中し、この部分で球面体構造１０全体の変形が吸収される。すなわち、上記したように、一般に殻体構造においては、内圧や外圧等が作用したときの変形の起こり易さは曲率に依存し、曲率が大きいほど変形し易いという性質があるため、球面構造体１０において曲率半径が小さい（すなわち曲率が大きい）凹部１２に変形が集中するのである。例えば、球面構造体１０に外圧が作用した場合、図２に破線で示すように、凹部１２が更に凹むように内側に変形することで、球面構造体１０全体の変形を吸収する。また、球面構造体１０に大きな内圧が作用した場合は、図２に一点鎖線で示すように、凹部１２が外側に延びるように変形することで、球面構造体１０全体の変形を吸収する。
【００１１】
このように、本実施形態の球面構造体１０によれば、内圧や外圧等に起因して生ずる変形を凹部１２に集中させることができる。このため、球面構造体１０の設計にあたり、変形の生じ易い凹部１２について重点的に解析を行うことにより、正確な安全性評価を行うことが可能となる。また、凹部１２以外の部分について過剰な強度設計を行うことがなくなり、経済的な設計を行うことができる。すなわち、球面構造体１０を構成する構造体の剛性を過度に大きくすることなく、安全性の高い球面構造体１０を実現することができる。
【００１２】
また、凹部１２を適切に配置することにより、球面構造体１０全体の変形挙動を予測することも可能である。
【００１３】
なお、凹部１２の個数や位置は球面構造体１０に作用する内圧・外圧の大きさや分布に応じて適宜選定すればよい。例えば、全体に均一に内圧又は外圧が作用する場合は、複数の凹部１２を対称位置に配置するのが好ましく、また、特定の部分に大きな内圧又は外圧が作用する場合には、その部分に重点的に凹部１２を配置すればよい。
【図面の簡単な説明】
【００１４】
【図１】本発明の一実施形態である球面構造体の断面図である。
【図２】本実施形態の球面構造体における凹部周辺での変形挙動を示す図である。
【符号の説明】
【００１５】
１０  球面構造体
１２  凹部
【図１】
2006008166.tif 000003
【図２】
2006008166.tif 000004
(57)【要約】      （修正有）【課題】コンビニエンスストアー等で売られているベントウ類のパッケージとして使用されるものであり、環境に害のない紙素材の容器を提供する。【解決手段】紙製のベントウ箱の中身が見えるようにふたの外側から約３ｃｍぐらいのこして中心に大きく穴をあける様にくりぬき、電子レンジ対応のとうめいフィルム部材でラッピングしてある食品パックを考案した。【選択図】図１
2006008246.tif 000002
【特許請求の範囲】
【請求項１】
紙素材から成る食品用フタ付きパックで、上記フタの中心が中味が見えるように外側から約３ｃｍ四方内がくりぬいてあり、電子レンジ対応とうめいフィルム部材でラップしてあるエコパック。
【発明の詳細な説明】
【技術分野】
【０００１】本発明は、コンビニエンスストアー等に売られている、食品を入れてある容器に関するものである。
【技術背景】
【０００２】プラスチック容器と言われるような、プラスチックパックや、ハッポウスチロールのトレイにとうめいプラスチックのフタがかぶせているものにラッピングして食品が売られている。
【０００３】紙素材のベントウ箱もあったが中味を見る事が出来なかった。
【０００４】しかしながら、昨今のエコブームの流れにより、
2006008246.tif 000003
あまりよくないと言われているので、コンビニベントウや、食品容器にプラスチックがあまりにも多く使われすぎているなどという問題点がある。
【発明の開示】
【発明が解決しようとする課題】
【０００５】本発明は、このような従来の問題点を解決しようとするものであり、コンビニエンスストアー等で売られているベントウ箱類のパッケージを
2006008246.tif 000004
にしようと考えたものである。
【課題を解決するための手段】
【０００６】本発明は、紙素材を使った食品用パックであり。通常の紙製のベントウ箱とちがう所は、ふたを開けないで中味を見る事が出来、通常の食品用パックと同じように電子レンジにかけれる事が出来るために発明されたエコパックである。【０００７】紙製の通常のベントウ箱のふたの中心部分を外側から約３ｃｍぐらい残してくりぬいてあり、その上からラッピングしてあるベントウ箱を発明した。
【発明の効果】
【０００８】フタの中心がくりぬいてあるので、どんな食品のベントウなのかが、上から中味を見る事が出来、あっためて食べたい場合は、ラッピングしてあるのでそのまま電子レンジに入れてチン出来る。一番の利点は、たべおえて箱をすてる時に、もえるゴミの中にすてるか、再製紙として利用するかが出来る。又、パックを重ねる場合も、エコパックの四方サイドが、しっかりしているので、５〜８段ぐら
2006008246.tif 000005
【発明を実施するための最良の形態】
【０００９】以下、本発明の実施形態を図に基ずいて説明する。
【実施例】
【００１０】図１−Ｂのエコパック本体にＤのしきりが入っていて、その上に本発明に重要なＡのフタがかぶせてありＣの電子レンジ対応のとうめいフィルム素材でラッピングがしてある。
このパックに食品を入れて売る。
【図面の簡単な説明】
【００１１】
【図１】エコパックの外観図である。
【図２】エコパックの分解図である。
【符号の説明】
【００１２】Ａ−エコパックのフタ
Ｂ−エコパック本体
Ｃ−フィルム素材のラッピング
Ｄ−しきり
【図１】
2006008246.tif 000006
【図２】
2006008246.tif 000007
(57)【要約】      （修正有）【課題】  従来からある、さまざまなおおきさやかたちの特別に口のついたものなどで、容器や散布器や散布機やその他の容器などを、紙製の容器にすることにする。【解決手段】  従来からある、容器や散布器や散布機やその他の容器を、紙製の容器にする。又、方法としても、利用できるようにする。【選択図】図１
2006008243.tif 000002
【特許請求の範囲】
【請求項１】
シャンプーなどの家庭洗剤容器や家庭園芸用などの、液体状のものなどをとりだす容器について、紙製のとりだし容器や、部分てきに紙製の容器をつくり、使用できるようにしたものです。
【請求項２】
さまざまな利用方法により使用されている、上記のものや、日用品や、食品や、その他のものなどのとりだし容器や、はいった容器のものや、いれるためなどの容器や、その他の容器を、紙製の容器につくり、使用できるようにする。又、方法としても、利用できるようにする。又、安全性に問題がないようにする。
【請求項３】
上記やその他の容器や、日用品用容器や、食品用容器や、散布器や散布機などというものについても、さまざまな目的や用途に使用する、さまざまなおおきさや形のものに利用できるようにする。安全性に問題がないようにする。又、方法としても、利用できるようにする。
【発明の詳細な説明】
【技術分野】
【０００１】  本発明は、日用品やその他のものに利用される容器について、それについて、紙製の容器にしたものに関する。
【背景技術】
【０００２】  従来の日用品やその他のものに利用される、口のついた容器については、紙製のものは利用されていなかった。【０００３】  以下、図５  図６  図７  図８  により、従来の容器を、説明する。【０００４】
【特許文献１】
【非特許文献】
【発明の開示】
【発明が解決しようとする課題】
【０００５】  以上に述べたように容器は、紙製の容器で四角い紙パック製のものがありますが、紙製の四角い紙パック製の容器以外の容器をつくることを実現するものです。又、特別な口のある、まるいものなどがあります。
【課題を解決するための手段】
【０００６】  従来の四角い紙パック製や従来のただの紙製の容器の容器以外の容器を、紙製の容器にする。
【発明の効果】
【０００７】  上述したように、本発明の紙製の容器は、紙製になったことにより、リサイクルしやすくなり、環境にやさしいものとなった。
【発明を実施するための最良の形態】
【０００８】  本発明の紙製の容器を従来の容器とおなじように使用できるようにする。
【産業上の利用可能性】
【０００９】  本発明の紙製の容器は、従来の容器のように商品として、販売できるようになり、新たな商品のものとして利用できる。
【図面の簡単な説明】
【０００１０】
【図１】  本発明の実態形態を示す口のついた、容器の平面図
【図２】  本発明の実態形態を示す口のついた、容器の平面図
【図３】  本発明の実態形態を示す口のついた、容器の平面図
【図４】  本発明の実態形態を示す口のついた、容器の平面図
【図５】  従来の容器の平面図
【図６】  従来の容器の平面図
【図７】  従来の容器の平面図
【図８】  従来の容器の平面図
【符号の説明】
【０００１１】  １    紙製にした容器
２    紙製にした容器
３    紙製にした容器
４    紙製にした容器
５    従来の容器
６    従来の容器
７    従来の容器
８    従来の容器
【図１】
2006008243.tif 000003
【図２】
2006008243.tif 000004
【図３】
2006008243.tif 000005
【図４】
2006008243.tif 000006
【図５】
2006008243.tif 000007
【図６】
2006008243.tif 000008
【図７】
2006008243.tif 000009
【図８】
2006008243.tif 000010
(57)【要約】【課題】  従来からあるさまざまなおおきさや、形のさまざまな目的や用途のペットボトルを紙製のペットボトルにして、利用などをすることを課題にする。又、方法としても、利用できるようにする。【解決手段】  従来からあるペットボトルや、これからのペットボトルを、紙製のペットボトルにすることができるようにする。又、方法としても、利用できるようにする。【選択図】  図  １
2006008244.tif 000002
【特許請求の範囲】
【請求項１】
さまざまなおおきさや形の、ペットボトルを、新たに紙製にしたペットボトルを発明し、従来からあるペットボトルのように使用できるようにする。そして、これからの新しいおおきさやかたちのペットボトルも、紙製にできるようにする。紙製のペットボトルをつくり、おおきさやかたちは、従来のおおきさやかたちのものとおなじようなものとなり、自動販売機や商店やスーパーやその他の販売するとこるなどで、従来のペットボトルの容器のようなさまざまな用途とおなじように使用できるようにする。ペットボトルの容器を紙製にしたという方法としても、新たなものになり、製造するうえで、方法としても発明としてできるようにする。又、方法としても、利用できるようにする。
【発明の詳細な説明】
【技術分野】
【０００１】  本発明は、ペットボトルを紙製のペットボトルにしたものに、関するものである。
【背景技術】
【０００２】  従来のペットボトルは、紙製のペットボトルというものはなかった。【０００３】  以下、図  ３  図  ４  により、従来のペットボトルを説明する。【０００４】
【特許文献１】
【非特許文献】
【発明の開示】
【発明が解決しようとする課題】
【０００５】  以上に述べた従来のペットボトルは、リサイクルが大変であった。このようなことから、紙製のペットボトルは、リサイクルしやすいものとなり、環境にやさしいペットボトルを実現するものです。
【課題を解決するための手段】
【０００６】  従来のペットボトルを紙製のペットボトルにする。
【発明の効果】
【０００７】  上述したように、本発明の紙製のペットボトルは、紙製になったことにより、リサイクルしやすくなり、環境にやさしいものとなった。
【発明を実施するための最良の形態】
【０００８】  本発明の紙製のペットボトルを従来のペットボトルとおなじように使用できるようにする。
【産業上の利用可能性】
【０００９】  本発明の紙製のペットボトルは、従来のペットボトルのように商品として、販売できるようになり、新たな商品のものとして利用できる。
【図面の簡単な説明】
【０００１０】
【図１】  本発明の実態形態を示すペットボトルの平面図
【図２】  本発明の実態形態を示すペットボトルの平面図
【図３】  従来のペットボトルの平面図
【図４】  従来のペットボトルの平面図
【符号の説明】
【０００１１】１  紙製にしたペットボトル
２  紙製にしたペットボトル
３  従来のペットボトル
４  従来のペットボトル
【図１】
2006008244.tif 000003
【図２】
2006008244.tif 000004
【図３】
2006008244.tif 000005
【図４】
2006008244.tif 000006